(57)【要約】【課題】スクリーン側部材がコード側部材に対して球状体を中心に回転する方向に所定値以上の曲げ荷重が作用したときコード側部材とスクリーン側部材とを速やかに分離する。【解決手段】ローマンシェードの昇降コード用係止具２０は、ヘッドレールに上端が取付けられたスクリーンの下部にスクリーン側部材２１が取付けられ、ヘッドレールから垂下された昇降コード１３の下端にコード側部材２２が取付けられ、スクリーン側部材及びコード側部材が結合部材２３により離脱可能に結合されるように構成される。上記結合部材は、スクリーン側部材と一体的に設けられた球状体２３ａと、コード側部材と一体的に設けられた弾性変形可能な一対の挟持２３ｂ，２３ｃ片とを有する。また一対の挟持片は、球状体を離脱可能に挟持することにより、スクリーン側部材及びコード側部材を結合するように構成される。【選択図】図１
2015202130.tif 000002
【特許請求の範囲】
【請求項１】
ヘッドレールに上端が取付けられたスクリーンの下部にスクリーン側部材が取付けられ、前記ヘッドレールから垂下された昇降コードの下端にコード側部材が取付けられ、前記スクリーン側部材及び前記コード側部材が結合部材により離脱可能に結合されるように構成されたローマンシェードの昇降コード用係止具において、
前記結合部材が、
前記スクリーン側部材又は前記コード側部材と一体的に設けられた球状体と、
前記コード側部材又は前記スクリーン側部材と一体的に設けられ前記球状体を離脱可能に挟持することにより前記スクリーン側部材及び前記コード側部材を結合する弾性変形可能な一対の挟持片と
を有することを特徴とするローマンシェードの昇降コード用係止具。
【請求項２】
前記一対の挟持片のいずれか一方又は双方に前記球状体の一部を収容可能であって前記球状体より小径の透孔が形成された請求項１記載のローマンシェードの昇降コード用係止具。
【請求項３】
前記結合部材が、
前記球状体近傍に前記スクリーン側部材又は前記コード側部材と一体的に設けられ前記球状体より大径の円板状体と、
前記一対の挟持片の先端にそれぞれ突設され先端に向うに従って互いに離れるように形成された一対の当接部と
を更に有し、
前記スクリーン側部材が前記コード側部材に対して前記球状体を中心に回転したときに、前記一対の当接部のいずれか一方又は双方が前記円板状体の外周縁に押し付けられ、前記一対の挟持片が弾性変形して押し広げられるように構成された請求項１又は２記載のローマンシェードの昇降コード用係止具。
【発明の詳細な説明】
【技術分野】
【０００１】
本発明は、ヘッドレールにスクリーンの上端を取付けたローマンシェードに用いられるコード係止具に関する。更に詳しくは、ヘッドレールから垂下された昇降コードの下端に取付けられ、その下端をスクリーンの下部に取付けるコード係止具に関するものである。
【背景技術】
【０００２】
従来、ヘッドボックスから垂下される生地（遮蔽材）の下端部に昇降コードが取付けられ、この昇降コードを操作して生地を昇降可能とした日射遮蔽装置が開示されている（例えば、特許文献１参照。）。この日射遮蔽装置では、昇降コードの下端が第１コードキャッチ（連結部材）を介して生地の下端部に取付けられる。この第１コードキャッチは生地の下端部に取付けられるフック部（第一の連結部材）と昇降コードの下端に取付けられるコード受け部（第二の連結部材）とにより構成され、フック部とコード受け部はフック部に作用する生地の質量を超える引っ張り力で外れる保持手段で保持される。またコード受け部の下端部には軸部が形成されるとともに、その軸部の外周面に周方向に突条が形成される。更にフック部の下部には、生地の下端に取付けられた取付リングを遊嵌して保持するフックが形成され、フック部の上端部には、コード受け部の軸部を嵌合可能とした嵌合凹部が形成されるとともに、その嵌合凹部の内周面には、突条を嵌合可能とした凹条が形成される。
【０００３】
このように構成された第１コードキャッチでは、昇降コードが居住者に引っ掛かって第１コードキャッチが下方へ引っ張られるときには、フック部が生地で下方へ移動不能に保持されているので、コード受け部がフック部から確実に外れるようになっている。
【０００４】
また、上記特許文献１には、上面が開口する箱状に形成され両側辺の上部に互いに近づく方向に斜めに延びる係止片が形成されたフック部と、Ｕ字状に屈曲された弾性片の基端部に昇降コードを挿通可能な挿通孔が形成されたコード受け部とを有する第２コードキャッチを備えた日射遮蔽装置が開示されている。この日射遮蔽装置では、昇降コードの下端部が弾性片の基端側から挿通孔に挿通され、昇降コードの下端に形成された結び目により、コード受け部が昇降コードの下端に取付けられる。また弾性片の先端部はともに拡幅されて係止軸部が形成される。これらの係止軸部が互いに近づくように弾性片を撓ませて、係止軸部を係止片間の嵌合凹部に挿入すると、弾性片の撓みが解除された状態で、係止軸部が係止片間に保持されるように構成される。更に弾性片間には、金属性のボールが上下動可能に保持される。
【０００５】
このように構成された第２コードキャッチでは、昇降コードでコード受け部が吊下支持されている通常時には、ボールが係止軸部上に位置する。この状態では、係止軸部が互いに近付く方向への弾性片の撓みがボールにより阻止されるため、係止軸部が係止片間に保持されて、フック部がコード受け部に吊下支持される。従って、昇降コードが昇降されると、コード受け部及びフック部が一体に昇降されて、生地が昇降される。一方、昇降コードに居住者等が引っ掛かり、ヘッドボックス内のストッパが滑ってコード受け部が下方へ引っ張られると、コード受け部が上下方向に逆転することからボールが弾性片間を下方へ移動する。このとき弾性片は係止軸部が互いに近づく方向に撓むため、係止軸部が係止片から外れて、コード受け部がフック部から離脱する。この結果、昇降コードと生地の接続が外れるので、昇降コードと居住者等との引っ掛かりを解除できるようになっている。
【先行技術文献】
【特許文献】
【０００６】
【特許文献１】特開２０１２−７４１９号公報（請求項１、段落［００２０］、［００２３］、［００３６］、［００４５］、［００５０］、図１〜図３、図７、図１０、図１１）
【発明の概要】
【発明が解決しようとする課題】
【０００７】
しかし、上記従来の特許文献１に示された第１コードキャッチでは、コード受け部の突条がフック部の凹条に嵌合しているけれども、この突条の凹条への嵌合ではこの嵌合を解除する荷重の最小値を所望の値に設定することが難しい不具合があった。また、上記従来の特許文献１に示された第２コードキャッチでは、コード受け部の基端が先端より下方に位置するまで回転しないと、コード受け部に収容されたボールが先端側から基端側に転動しないため、昇降コードや第２コードキャッチに荷重が作用して、コード受け部の弾性片がフック部の係止片から離脱しないおそれがあった。
【０００８】
本発明の第１の目的は、スクリーン側部材がコード側部材に対して球状体を中心に回転する方向に所定値以上の曲げ荷重が作用したときに、コード側部材とスクリーン側部材とを速やかに分離でき、またスクリーンの通常の昇降動作時であってスクリーン側部材をコード側部材に対して引き離す方向に引っ張り荷重が作用したときに、コード側部材とスクリーン側部材とを容易に分離できない、ローマンシェードの昇降コード用係止具を提供することにある。本発明の第２の目的は、スクリーン側部材とコード側部材との分離荷重の最小値、即ち曲げ荷重の最小値及び引っ張り荷重の最小値をそれぞれ比較的正確に設定できる、ローマンシェードの昇降コード用係止具を提供することにある。本発明の第３の目的は、スクリーン側部材とコード側部材とを分離するときのスクリーン側部材のコード側部材に対する球状体を中心とする回転角を所望の範囲に設定できる、ローマンシェードの昇降コード用係止具を提供することにある。
【課題を解決するための手段】
【０００９】
本発明の第１の観点は、図１〜図３及び図９に示すように、ヘッドレール１２に上端が取付けられたスクリーン１１の下部にスクリーン側部材２１が取付けられ、ヘッドレール１２から垂下された昇降コード１３の下端にコード側部材２２が取付けられ、スクリーン側部材２１及びコード側部材２２が結合部材２３により離脱可能に結合されるように構成されたローマンシェード１０の昇降コード用係止具２０において、結合部材２３が、スクリーン側部材２１又はコード側部材２２と一体的に設けられた球状体２３ａと、コード側部材２２又はスクリーン側部材２１と一体的に設けられ球状体２３ａを離脱可能に挟持することによりスクリーン側部材２１及びコード側部材２２を結合する弾性変形可能な一対の挟持片２３ｂ，２３ｃとを有することを特徴とする。
【００１０】
本発明の第２の観点は、第１の観点に基づく発明であって、更に図１〜図３に示すように、一対の挟持片２３ｂ，２３ｃのいずれか一方又は双方に球状体２３ａの一部を収容可能であって球状体２３ａより小径の透孔２３ｄが形成されたことを特徴とする。
【００１１】
本発明の第３の観点は、第１又は第２の観点に基づく発明であって、更に図１〜図３に示すように、結合部材２３が、球状体２３ａ近傍にスクリーン側部材２１又はコード側部材２２と一体的に設けられ球状体２３ａより大径の円板状体２３ｅと、一対の挟持片２３ｂ，２３ｃの先端にそれぞれ突設され先端に向うに従って互いに離れるように形成された一対の当接部２３ｆ，２３ｆとを更に有し、スクリーン側部材２１がコード側部材２２に対して球状体２３ａを中心に回転したときに、一対の当接部２３ｆ，２３ｆのいずれか一方又は双方が円板状体２３ｅの外周縁に押し付けられ、一対の挟持片２３ｂ，２３ｃが弾性変形して押し広げられるように構成されたことを特徴とする。
【発明の効果】
【００１２】
本発明の第１の観点のローマンシェードの昇降コード用係止具では、スクリーン側部材又はコード側部材と一体的に設けられた球状体を、コード側部材又はスクリーン側部材と一体的に設けられた弾性変形可能な一対の挟持片により離脱可能に挟持するので、スクリーン側部材がコード側部材に対して球状体を中心に回転する方向に曲げ荷重が作用したとき、スクリーン側部材又はコード側部材がコード側部材又はスクリーン側部材の一対の挟持片を押し広げる。このため、コード側部材とスクリーン側部材とが速やかに分離する。この結果、係止具や昇降コードの損傷を防止できるとともに、子供や老人等を昇降コードの絡みつきから速やかに解放できる。一方、スクリーンの通常の昇降時であってスクリーン側部材をコード側部材に対して引き離す方向に引っ張り荷重が作用しても、コード側部材とスクリーン側部材とを容易に分離しない。この結果、スクリーンをスムーズに昇降できる。
【００１３】
本発明の第２の観点のローマンシェードの昇降コード用係止具では、一対の挟持片のいずれか一方又は双方に球状体の一部を収容可能な透孔を形成したので、この透孔の直径を変更することにより、スクリーン側部材とコード側部材との分離荷重の最小値、即ち曲げ荷重の最小値及び引っ張り荷重の最小値をそれぞれ所望の値に比較的正確に設定できる。
【００１４】
本発明の第３の観点のローマンシェードの昇降コード用係止具では、スクリーン側部材がコード側部材に対して球状体を中心に回転したときに、一対の当接部のいずれか一方又は双方が円板状体の外周縁に押し付けられ、一対の挟持片が弾性変形して押し広げられるので、円板状体の直径又は一対の当接部の間隔のいずれか一方又は双方を変更することにより、スクリーン側部材とコード側部材とが分離するときのスクリーン側部材のコード側部材に対する球状体を中心とする回転角を所望の範囲に設定できる。
【図面の簡単な説明】
【００１５】
【図１】本発明第１実施形態のローマンシェードの昇降コード用係止具の要部を破断した図３のＡ矢視図である。
【図２】その係止具のスクリーン側部材がコード側部材に対して球状体を中心に所定の角度だけ回転した状態を示す図１に対応する図である。
【図３】図１のＢ矢視図である。
【図４】図３のＣ−Ｃ線断面図である。
【図５】図３のＤ−Ｄ線断面図である。
【図６】図３のＥ−Ｅ線断面図である。
【図７】基台の巻付部側から見た係止具の斜視図である。
【図８】基台の巻付部とは反対側から見た係止具の斜視図である。
【図９】その係止具が取付けられたローマンシェードのスクリーンを全て展開した状態を示す斜視図である。
【図１０】その係止具が取付けられたローマンシェードのスクリーンを一部だけ展開した状態を示す斜視図である。
【図１１】本発明第２実施形態のローマンシェードの昇降コード用係止具の要部を破断した図１３のＦ矢視図である。
【図１２】その係止具のスクリーン側部材がコード側部材に対して球状体を中心に所定の角度だけ回転した状態を示す図１１に対応する図である。
【図１３】図１１のＧ矢視図である。
【発明を実施するための形態】
【００１６】
次に本発明を実施するための形態を図面に基づいて説明する。
【００１７】
＜第１の実施の形態＞
図９及び図１０に示すように、ローマンシェード１０は、図示しない固定用ブラケットを介して部屋の壁面や天井に取付けられたヘッドレール１２と、このヘッドレール１２に上端が取付けられヘッドレール１２の長さと略同一の幅を有するスクリーン１１と、ヘッドレール１２から昇降可能に垂下されてその下端がスクリーン１１の下部に連結された昇降コード１３とを備える。ヘッドレール１２はアルミニウム合金等の金属の押出し成形又は引抜き成形により作られたレール本体１２ａと、レール本体１２ａの両端部に設けられた蓋体１２ｂを有する。ヘッドレール１２の内部空間には、複数のコード挿通部材１４がヘッドレール１２の長手方向の任意の位置に収容される。また、ヘッドレール１２の内部空間には、コード挿通部材１４の数に相応する本数の昇降コード１３が挿通され、これらの昇降コード１３の一端部は、対応する所定のコード挿通部材１４からスクリーン１１の背面に沿って垂下される。更にスクリーン１１には上下方向に所定の間隔をあけて複数本の横桿１６が取付けられ、ヘッドレール１２から垂下された昇降コード１３が横桿１６と交差するスクリーン１１の背面にはコードリング１７が取付けられる。これによりスクリーン１１の背面にはコードリング１７が鉛直方向に所定の間隔をあけて取付けられる。なお、図９及び図１０中の符号１８は、スクリーン１１の下縁に設けられたウエイトバーである。
【００１８】
ヘッドレール１２の内部空間に挿通された複数の昇降コード１３の他端部は、ヘッドレール１２の内部空間を一方（図９及び図１０では左方向）に導かれて、ヘッドレール１２の端部に設けられた停止手段であるストッパ（図示せず）に挿通された後、ヘッドレール１２の端部から垂下されて操作つまみ１９に連結される。このストッパは、操作つまみ１９が設けられた側（操作つまみ１９側）の昇降コード１３の上昇をそれぞれ禁止又は許容するように構成される。具体的には、ストッパは、操作つまみ１９側の昇降コード１３を下降させた後に上昇させるとその操作つまみ１９側の昇降コード１３の上昇を禁止し、この上昇が禁止された操作つまみ１９側の昇降コード１３を一旦下降させると再びその昇降コード１３の上昇を許容するように構成される。ここで、図９及び図１０中の符号１９ａは操作つまみ１９をスクリーン１１の下端に連結する連結紐である。
【００１９】
ヘッドレール１２に内蔵されて対応する所定のコード挿通部材１４から垂下された昇降コード１３の一端側は、スクリーン１１の背面に鉛直方向に所定の間隔をあけて取付けられた複数のコードリング１７に挿通されて鉛直下方に配索された後、スクリーン１１の下端に取付けられた最下端のコードリング１７に、本発明のコード用係止具２０を介して連結される。これにより操作つまみ１９側の昇降コード１３を上昇させると、図９に示すようにヘッドレール１２のコード挿通部材１４から垂下されてスクリーン１１に連結された側（スクリーン１１側）の昇降コード１３が下降し、逆に操作つまみ１９側の昇降コード１３を下降させると、図１０に示すようにスクリーン１１側の昇降コード１３が上昇してスクリーン１１をたくし上げ折畳むことができるようになっている。
【００２０】
図１〜図３に示すように、スクリーン１１側の昇降コード１３の下端を最下端のコードリング１７に連結する本発明のコード用係止具２０は、スクリーン１１の下部に取付けられたスクリーン側部材２１と、ヘッドレール１１側の昇降コード１３の下端に取付けられたコード側部材２２と、スクリーン側部材２１及びコード側部材２２を離脱可能に結合する結合部材２３とを備える。上記スクリーン側部材２１は、円柱状の基部２１ａと、この基部２１ａの下端に設けられコードリング１７に係止するフック部２１ｂとを有する。またコード側部材２２は、長方形板状の基台２２ａと、この基台２２ａの上端に形成されスクリーン１１側の昇降コード１３を挿通可能な挿通部２２ｂと、この挿通部２２ｂより下方の基台２２ａに設けられスクリーン１１側の昇降コード１３下部が巻き付けられる巻付部２２ｃとを有する。更に結合部材２３は、スクリーン側部材２１と一体的に設けられた球状体２３ａと、コード側部材２２と一体的に設けられた弾性変形可能な一対の挟持片２３ｂ，２３ｃとを有する。一対の挟持片２３ｂ，２３ｃのうち一方の挟持片２３ｂは平板状に形成され、他方の挟持片２３ｃは球状体２３ａの外面に沿って１平面内（２次元）で湾曲する湾曲板状に形成される。そして一対の挟持片２３ｂ，２３ｃは、球状体２３ａを離脱可能に挟持することにより、スクリーン側部材２１及びコード側部材２２を結合するように構成される。また上記スクリーン側部材２１は、ポリアセタール（ＰＯＭ）、ポリカーボネート（ＰＣ）等により形成された成型品であって、基部２１ａとフック部２１ｂと球状体２３ａは一体的に形成される。更に上記コード側部材２２は、ポリアセタール（ＰＯＭ）、ポリカーボネート（ＰＣ）等により形成された成型品であって、基台２２ａと挿通部２２ｂと巻付部２２ｃと一対の挟持片２３ｂ，２３ｃは一体的に形成される。
【００２１】
一対の挟持片２３ｂ，２３ｃのうち一方の挟持片２３ｂには、球状体２３ａの一部を収容可能な透孔２３ｄが形成される。この透孔２３ｄの直径は球状体２３ａの直径より小さく形成される。また、上記結合部材２３は、この実施の形態では、球状体２３ａ近傍にスクリーン側部材２１と一体的に設けられ球状体２３ａより大径の円板状体２３ｅと、一対の挟持片２３ｂ，２３ｃの先端にそれぞれ突設された一対の当接部２３ｆ，２３ｆとを更に有する。これらの当接部２３ｆ，２３ｆは、先端に向うに従って互いに離れるように形成される。更に球状体２３ａが一対の挟持片２３ｂ，２３ｃで挟持された状態であってスクリーン側部材２１の軸線とコード側部材２２の軸線とが一致してこれらの軸線が一直線上に延びた状態で、円板状体２３ｅの外周縁が一対の当接部２３ｆ，２３ｆに当接するように構成される（図１）。そして、スクリーン側部材２１がコード側部材２２に対して球状体２３ａを中心に回転したときに、一対の当接部２３ｆ，２３ｆのいずれか一方又は双方が円板状体２３ｅの外周縁に押し付けられ、一対の挟持片２３ｂ，２３ｃが弾性変形して押し広げられるように構成される。
【００２２】
一方、図１、図２、図７及び図８に示すように、スクリーン側部材２１のフック部２１ｂは、コードリング１７をその中に挿入可能なＵ字形に形成され、その開口する上部が狭められて形成される。Ｕ字形に形成されたフック部２１ｂの内側にはその中に挿入されたコードリング１７の上方に鉛直方向にずらして位置しそのコードリング１７のフック部２１ｂからの離脱を阻止する２つの突起２１ｃ，２１ｄが一体的に形成される。また、図１、図２、図４、図７及び図８に示すように、コード側部材２２の基台２２ａの上端には直角に折り曲がる上板２２ｄが形成され、この上板２２ｄと基台２２ａの接合部分である角部に昇降コード１３が挿通される挿通部２２ｂが形成される。この実施の形態における挿通部２２ｂは上板２２ｄと基台２２ａの接合部分に形成された孔であって、その挿通部２２ｂを構成する孔は昇降コード１３が遊挿可能に比較的大きく形成され、この孔からなる挿通部２２ｂに一端が開口するスリット２２ｅが上板２２ｄに形成される。スリット２２ｅの幅は昇降コード１３の外径と同一か或いは僅かに小さく形成され、挿通部２２ｂに挿通された昇降コード１３をこのスリット２２ｅに圧入可能に構成される。
【００２３】
図１〜図３及び図５〜図７に示すように、コード側部材２２の巻付部２２ｃは、挿通部２２ｂと一対の挟持片２３ｂ，２３ｃの間の基台２２ａに立設された上下方向に長いリブ状物２２ｆと、このリブ状物２２ｆの先端に形成された大径部２２ｇとを有する。リブ状物２２ｆは、昇降コード１３の下部が巻き付けられる部分であり、その高さは昇降コード１３の外径の２倍程度に形成される。リブ状物２２ｆの先端に形成された大径部２２ｇは、リブ状物２２ｆの周囲に巻き付けられた昇降コード１３をそのリブ状物２２ｆの周囲に維持させるためのものであり、リブ状物２２ｆの周囲に巻き付けられた昇降コード１３より大きな外形となるように形成される。リブ状物２２ｆの外形を越えた大径部２２ｇに対向する基台２２ａには、リブ状物２２ｆの上縁及び下縁に連続するようにその上下に凸条２２ｈがその大径部２２ｇに対向してそれぞれ形成される。凸条２２ｈとこの凸条２２ｈに対向する大径部２２ｇとの間の隙間は昇降コード１３の外径より小さく形成され、リブ状物２２ｆの周囲に昇降コード１３を巻き付けると、その昇降コード１３はリブ状物２２ｆの上下に形成された凸条２２ｈと大径部２２ｇとの間の隙間に圧入され、リブ状物２２ｆの周囲に巻き付けられた昇降コード１３をこの巻付部２２ｃに固定できるようになっている。
【００２４】
図１〜図３に示すように、挿通部２２ｂと巻付部２２ｃの間の基台２２ａには係合片２２ｉが立設される。挿通部２２ｂと巻付部２２ｃと係合片２２ｉは上下方向に並んでそれぞれが一体的に形成され、係合片２２ｉは挿通部２２ｂと巻付部２２ｃとの間にあって、その間を横断するように横方向に延びて形成される。図５に詳しく示すように、この係合片２２ｉには、挿通部２２ｂに挿通された昇降コード１３を圧入することによりその昇降コード１３をその係合片２２ｉに係合可能に構成された凹溝２２ｊが形成される。この実施の形態における凹溝２２ｊは、図１及び図２に示すように挿通部２２ｂに挿通された昇降コード１３を横方向に導いて圧入するように係合片２２ｉの両側にそれぞれ形成され、凹溝２２ｊに圧入された後に垂下する昇降コード１３がリブ状物２２ｆの側壁に沿うように形成される。なお、図１、図２、図４及び図８中の符号２２ｋはコード側部材２２の基台２２ａの背面に長手方向に延びて設けられ挿通部２２ｂから一対の挟持片２３ｂ，２３ｃに向うに従って次第に高さが高くなる略三角形板状の三角リブである。この三角リブ２２ｋは、スクリーン１１をたたみ上げるときに係止具２０がスクリーンに引っ掛かるのを防止するためと、コード側部材２２を補強するためと、基台２２ａの背面にヒケが発生するのを防止するためと、基台２２ａの反りを防止するために設けられる。
【００２５】
このように構成されたコード用係止具２０によりスクリーン１１側の昇降コード１３の弛みを解消する方法を説明する。スクリーン１１側の昇降コード１３をコード用係止具２０の挿通部２２ｂに挿通した後、この昇降コード１３を横方向に導いて、係合片２２ｉに形成された凹溝２２ｊに圧入する。これにより昇降コード１３をこのコード用係止具２０に仮に固定することができる。このため、例えばスクリーン１１の下部にコードリング１７を取付け、このコードリング１７にコード用係止具２０を係止させるような場合であって、そのコードリング１７をスクリーン１１に取付ける際のばらつきにより複数の昇降コード１３の下端における取付位置が上下にばらついたとしても、凹溝２２ｊに圧入された昇降コード１３を凹溝２２ｊに圧入させた状態で上下方向に移動させることにより、このように生じたばらつきを解消することができる。このため、弛んだ昇降コード１３の下端に取付けたコード用係止具２０の位置を変更することが比較的容易であり、その位置を上下に移動させることにより昇降コード１３に生じた弛みを比較的容易に解消させることができる。
【００２６】
そして、上記コード用係止具２０を介して昇降コード１３の下端をそのスクリーン１１に下部に取付けたローマンシェード１０において、そのスクリーン１１を昇降させるには、操作つまみ１９を操作して行う。例えば、図１０に示すようにスクリーン１１を上昇させる場合には、操作つまみ１９を下方に引っ張ることにより、この操作つまみ１９側の昇降コード１３が引き下ろされるとともに、スクリーン１１側の昇降コード１３が上昇してウエイトバー１８が上昇する。このときスクリーン１１は互いに隣接する横桿１６の間でひだを形成しながら、たくし上げられて折畳まれる。操作つまみ１９を下方に引っ張る力を緩めると、ストッパ（図示せず）が昇降コード１３の上昇を禁止し、スクリーン１１がたくし上げられた状態に保持される。また、スクリーン１１を下降させる場合には、操作つまみ１９を少し下方に引張って、操作つまみ１９側の昇降コード１３の上昇を許容した後、操作つまみ１３を徐々に上げる。これによりスクリーン１１側の昇降コード１３がウエイトバー１８及びスクリーン１１はそれらの自重により下降し、図９に示すように下降したスクリーン１１により家屋の開口部（図示せず）を覆うことができる。
【００２７】
一方、スクリーン１１の通常の昇降時であってスクリーン側部材２１をコード側部材２２に対して引き離す方向に引っ張り荷重が作用しても（図１）、コード側部材２２とスクリーン側部材２１とを容易に分離しない。この結果、スクリーン１１をスムーズに昇降できる。また、スクリーン側部材２１がコード側部材２２に対して球状体２３ａを中心に回転する方向に曲げ荷重が作用したとき（図２）、一対の当接部２３ｆ，２３ｆのいずれか一方又は双方が円板状体２３ｅの外周縁に押し付けられ、一対の挟持片２３ｂ，２３ｃが弾性変形して押し広げられる。このため、コード側部材２２とスクリーン側部材２１とが速やかに分離する。この結果、コード用係止具２０や昇降コード１３の損傷を防止できるとともに、子供や老人等を昇降コード１３の絡みつきから速やかに解放できる。また、一対の挟持片２３ｂ，２３ｃの一方の挟持片２３ｂに球状体２３ａの一部を収容可能な透孔２３ｄを形成したので、この透孔２３ｄの直径を変更することにより、スクリーン側部材２１とコード側部材２２との分離荷重の最小値、即ち上記曲げ荷重の最小値及び上記引っ張り荷重の最小値をそれぞれ所望の値に比較的正確に設定できる。更に、円板状体２３ｅの直径又は一対の当接部２３ｆ，２３ｆの間隔のいずれか一方又は双方を変更することにより、スクリーン側部材２１とコード側部材２２とが分離するときのスクリーン側部材２１のコード側部材２２に対する球状体２３ａを中心とする回転角θ（図２）を所望の範囲に設定できる。
【００２８】
＜第２の実施の形態＞
図１１〜図１３は本発明の第２の実施の形態を示す。図１１〜図１３において図１〜図３と同一符号は同一部品を示す。この実施の形態では、結合部材４３が、球状体４３ａ及び一対の挟持片４３ｂ，４３ｃを有するけれども、第１の実施の形態の円板状体及び一対の当接部を有しない。即ち、この実施の形態では、コード用係止具４０は、基部２１ａとフック部２１ｂと球状体４３ａとが一体的に形成されたスクリーン側部材４１と、基台２２ａと挿通部２２ｂと巻付部２２ｃと一対の挟持片４３ｂ，４３ｃが一体的に形成されたコード側部材４２とを備える。上記以外は第１の実施の形態と同一に構成される。
【００２９】
このように構成されたコード用係止具４０では、スクリーン側部材４１がコード側部材４２に対して球状体４３ａを中心に回転したときに、スクリーン側部材４１の基部２１ａがコード側部材４２の一対の挟持片４３ｂ，４３ｃを押し広げるため、スクリーン側部材４１とコード側部材４２とが分離するときのスクリーン側部材４１のコード側部材４２に対する球状体４３ａを中心とする回転角θ（図１２）が第１の実施の形態より大きくなるけれども、コード用係止具４０の全長及び全幅を第１の実施の形態より小さくすることができ、コード用係止具４０のコンパクト化を図ることができる。上記以外の使用方法や動作は第１の実施の形態と略同様であるので、繰返しの説明を省略する。
【００３０】
なお、上記第１及び第２の実施の形態では、一対の挟持片の一方に球状体の一部を収容可能な透孔を形成したが、一対の挟持片の他方又は双方に球状体の一部を収容可能な透孔を形成してもよい。ここで、一対の挟持片の他方に球状体の一部を収容可能な透孔を形成した場合、一対の挟持片のうち他方の挟持片は平板状に形成され、一方の挟持片は球状体の外面に沿って１平面内（２次元）で湾曲する湾曲板状に形成される。一対の挟持片の双方に球状体の一部を収容可能な透孔を形成した場合、一対の挟持片の双方が球状体の一部を包むように３次元で湾曲する湾曲板状にそれぞれ形成される。また、上記第１及び第２の実施の形態では、球状体をスクリーン側部材と一体的に設け、一対の挟持片をコード側部材と一体的に設けたが、球状体をコード側部材と一体的に設け、一対の挟持片をスクリーン側部材と一体的に設けてもよい。また、上記第１の実施の形態では、円板状体を球状体近傍にスクリーン側部材と一体的に設け、一対の当接部をコード側部材と一体的に設けられた一対の挟持片の先端にそれぞれ突設したが、円板状体を球状体近傍にコード側部材と一体的に設け、一対の当接部をスクリーン側部材と一体的に設けられた一対の挟持片の先端にそれぞれ突設してもよい。また、第１及び第２の実施の形態では、昇降コードをヘッドレールの内部でその長手方向に案内し、ヘッドレールの端部から下方に垂下するローマンシェードに本発明のコード用係止具を用いた場合を説明したが、ヘッドレールの内部に昇降コードを繰出し可能に巻取る複数のドラムを設け、これらのドラムを回転させることにより昇降コードを上下動させるように構成されたローマンシェードに本発明のコード用係止具を用いてもよい。更に、第１及び第２の実施の形態では、スクリーンに複数の横桿を設けた場合を説明したが、横桿は設けなくてもよい。この場合、昇降コードを上昇させると、スクリーンは昇降コードと昇降コードの間で垂れ下がるような円弧を描いて上昇することになる。
【符号の説明】
【００３１】
１０  ローマンシェード
１１  スクリーン
１２  ヘッドレール
１３  昇降コード
２０，４０  コード用係止具
２１，４１  スクリーン側部材
２２，４２  コード側部材
２３，４３  結合部材
２３ａ，４３ａ  球状体
２３ｂ，２３ｃ，４３ｂ，４３ｃ  挟持片
２３ｄ，４３ｄ  透孔
２３ｅ  円板状体
２３ｆ  当接部
【図１】
2015202130.tif 000003
【図２】
2015202130.tif 000004
【図３】
2015202130.tif 000005
【図４】
2015202130.tif 000006
【図５】
2015202130.tif 000007
【図６】
2015202130.tif 000008
【図７】
2015202130.tif 000009
【図８】
2015202130.tif 000010
【図９】
2015202130.tif 000011
【図１０】
2015202130.tif 000012
【図１１】
2015202130.tif 000013
【図１２】
2015202130.tif 000014
【図１３】
2015202130.tif 000015